(57)【要約】【課題】  同時起動の防止が確実で、タイマーの時間設定が簡単な自動台数制御装置とその方法を提供する。【解決手段】  本発明の自動台数制御装置は、水槽の水位を検出する水位計３と、その測定値により複数のポンプ２のうち運転台数を判断する運転台数判断部４と、運転台数判断部によりポンプに指令を送る運転指令部５とからなり、ポンプが同時に起動することを防ぐ機能を有するもので、運転指令部に設けた運転指令タイマー７と、複数のポンプのうちいずれかが起動開始してから起動完了するまでの起動中の状態信号を検出する起動状態検出部６とを設け、いずれかのポンプが起動中の場合は、他のポンプの運転指令タイマーをその都度停止及びリセットさせる手順で処理するものである。【選択図】    図１
2008069652.tif 000002
【特許請求の範囲】
【請求項１】
水槽の水位を検出する検出器と、前記検出器の測定値により複数のポンプのうち運転台数を判断する運転台数判断部と、前記運転台数判断部によりポンプに指令を送る運転指令部とからなり、前記ポンプが同時に起動することを防ぐ機能を有する自動台数制御装置において、
前記運転指令部に設けた前記ポンプと同数の運転指令タイマーと、前記複数のポンプのうちいずれかが起動開始してから起動完了するまでの起動中の状態信号を検出する起動状態検出部とを設け、いずれかのポンプが起動中の場合は、他のポンプの運転指令タイマーをその都度停止及びリセットさせる手順で処理することを特徴とする自動台数制御装置。
【請求項２】
水槽の水位を検出する検出器と、前記検出器の測定値により複数のポンプのうち運転台数を判断する運転台数判断部と、前記運転台数判断部によりポンプに指令を送る運転指令部とからなり、前記ポンプが同時に起動することを防ぐ自動台数制御装置の同時起動防止方法において、
前記運転指令部に設けた複数の運転指令タイマーに時間差をもたせ、前記複数のポンプのうちいずれかが起動開始してから起動完了するまでの起動状態の信号を検出し、いずれかのポンプが起動中の場合は、他のポンプの運転指令タイマーをその都度停止及びリセットさせる手順で処理することを特徴とする自動台数制御装置の同時起動防止方法。
【発明の詳細な説明】
【技術分野】
【０００１】
本発明は、下水処理場のポンプ井等の水槽におけるポンプ設備の自動台数制御装置の同時起動防止方法に関する。
【背景技術】
【０００２】
下水処理場のポンプ井等の水槽では流入した水が水槽から溢れないように、水位の上昇を検出し、ポンプの運転台数を増加させることで水位の上昇を抑制することを行うが、このときの必要運転台数は複数台に及ぶことがある。
【０００３】
ポンプなどの電動回転機械の始動時には一般的に通常運転時の６倍以上の起動電流が流れるため、容量が大きい複数台の機械が同時に起動すると設備の電源容量が不足することがあり、その場合には複数台の機械が同時に起動することを防がなければならない。
【０００４】
従来の自動台数制御装置の同時起動防止方法としては、予め定められた運転順位に従い運転指令を発し、先発機の起動完了を確認してから次発機の運転指令を発するものがある。また、運転順位に応じて同時に起動しないために必要な時間差、すなわち先発機の起動に必要な時間分の遅れをタイマーにより持たせたものもある。
図３において、１は水槽、２はポンプ、３は水位計、４は運転台数判断部、５は運転指令部である。
水位計３は水槽１の水位を検出するものであり、ポンプ２は水槽１の排水を行う機械である。運転台数判断部４は検出された水位をもとにポンプ２の必要な運転台数を判断し運転要求を出力する。運転指令部５は先発起動の完了確認を行うもので、運転台数判断部４から出力されるポンプ２への運転要求に対し運転順位の早い先発機へ運転指令を発し、その先発機の起動完了が確認されれば次発機の運転指令を発する。
図４において、ステップ1では水位の上昇により複数台の運転要求が検出される。次にステップ２で運転順位の早い先発機へ運転指令を発せられる。ステップ３では先行して発せられた運転指令により起動した先発機の起動完了が検出されてから、次発機の運転指令が発せられる。以降、運転要求のある機械全てが起動完了するまでステップ２からステップ３までを繰り返し同時起動を防止しながら順次起動する。
このように、従来の同時起動防止装置では、先発機の起動完了を確認後に次発機の運転指令を発する、という手順がとられていた。
図５は運転順位に応じて同時に起動しないために必要な時間差をタイマーにより持たせた場合のフローである。図においてステップ１では水位の上昇により複数台の運転要求が検出される。ステップ２では先発機の運転指令が発せられる。次にステップ３では先発機の起動完了に充分な時間差を持たせたタイマーＴ１がカウント完了後に次発機の運転指令を発する。次にステップ４では先発機と次発機の起動完了に充分な時間差をもたせたタイマーＴ２がカウント完了後に次々発機の運転指令を発する。
また、他の従来例として複数のポンプと管路網を備えた圧力式下水道システムがある。これは、起動水位検出センサおよび停止水位検出センサからの検出信号に応じて各ポンプを運転停止させるポンプ制御部と、ポンプの運転状態を監視し制御する監視制御部とを備え、許容される同時運転台数を超えた場合に、その許容を超えたポンプの運転を待機状態とさせるため、待機信号を出力するものである（例えば、特許文献１参照）。
【特許文献１】特開平７−０９７８２３号公報
【発明の開示】
【発明が解決しようとする課題】
【０００５】
ところが、従来の同時起動防止方法では、先発機の起動完了を検出してから次発機の運転指令を発するという手順をとっているので、先発機が何らかの故障により起動できない場合には次発機以降の運転指令がいつまでも発せられないという問題があった。
また、運転順位に応じて運転指令に同時に起動しないために必要な時間差をタイマーにより持たせた場合は、時間差が充分でない場合には先発機が起動完了する前に次発機の運転指令が発せられ同時起動してしまう、また時間差が必要以上に大きい場合には無駄な待ち時間が発生するなど、時間の設定が難しいという問題もあった。
本発明はこのような問題点に鑑みてなされたものであり、確実に同時起動の防止を図りながら、先発機の故障の影響をうけずに確実に次発機が起動できるとともに、同時起動防止を図るために設けるタイマーの時間設定が確実で簡単にできる装置および方法を提供することを目的とする。
【課題を解決するための手段】
【０００６】
上記問題を解決するため、本発明は、次のようにしたものである。
請求項１に記載の発明は、水槽の水位を検出する検出器と、前記検出器の測定値により複数のポンプのうち運転台数を判断する運転台数判断部と、前記運転台数判断部によりポンプに指令を送る運転指令部とからなり、前記ポンプが同時に起動することを防ぐ機能を有する自動台数制御装置において、前記運転指令部に設けた前記ポンプと同数の運転指令タイマーと、前記複数のポンプのうちいずれかが起動開始してから起動完了するまでの起動中の状態信号を検出する起動状態検出部とを設け、いずれかのポンプが起動中の場合は、他のポンプの運転指令タイマーをその都度停止及びリセットさせる手順で処理するものである。
請求項２に記載の発明は、水槽の水位を検出する検出器と、前記検出器の測定値により複数のポンプのうち運転台数を判断する運転台数判断部と、前記運転台数判断部によりポンプに指令を送る運転指令部とからなり、前記ポンプが同時に起動することを防ぐ自動台数制御装置の同時起動防止方法において、前記運転指令部に設けた複数の運転指令タイマーに時間差をもたせ、前記複数のポンプのうちいずれかが起動開始してから起動完了するまでの起動状態の信号を検出し、いずれかのポンプが起動中の場合は、他のポンプの運転指令タイマーをその都度停止及びリセットさせる手順で処理するものである。
【発明の効果】
【０００７】
請求項１、２に記載の発明によると、先発機が何らかの故障により起動できない場合でも、各々の運転指令タイマーがカウント完了すれば次発機以降の運転指令が順次発せられるため、確実に同時起動の防止を図りながら、先発機の故障の影響を受けず次発機が確実に起動できる。
また、運転指令タイマーは、運転指令に若干の時間差をもたせるのみであり、各々の機械の起動開始から起動完了するまでに必要とする時間とは無関係に設定できるため、確実で簡単に時間の設定ができる。
【発明を実施するための最良の形態】
【０００８】
以下、本発明の方法の具体的実施例について、図に基づいて説明する。
【実施例１】
【０００９】
図１は、本発明の同時起動防止方法を実施するポンプ設備の自動台数制御装置を適用する構成を示す制御ブロック図である。
図において、６は起動状態検出部、７は運転指令タイマーである。その他の符号については従来と同じであるため、説明を省略する。
運転指令部５は、運転指令タイマー７を含んでいる点で従来の先発起動の完了確認を行うものとは異なるが、運転台数判断部４から出力されるポンプ２への運転要求に対し運転順位の早い先発機へ運転指令を発点では同じである。運転指令タイマー７は運転台数判断部４から出力されるポンプ２への運転要求に対し各々若干の時間差をもたせ、そのカウント完了後に運転指令を発する。
起動状態検出６は、複数台あるポンプ２のいずれかが起動開始してから起動完了するまでの起動中の状態を検出し、その起動中状態を検出中は以降の運転指令タイマー７を停止及びリセットさせる。
複数台の運転指令タイマー７に持たせた時間差の中で先発機が先に起動し、起動中状態信号７が検出されその起動完了までは次発機以降の運転指令を発生させない、
【００１０】
つぎに、本実施例の動作について図２を参照して説明する。
図２は自動台数制御装置において同時起動を防止する処理手順を示すフローチャートである。
はじめにステップ1で水位の上昇により複数台の運転要求が検出される。次にステップ２では運転指令タイマーにもたせた若干の時間差のなかで、まず先発機の運転指令が発せられ順次カウント完了したものから運転指令が発せられる。ステップ３では先行して発せられた運転指令により起動した先発機の起動中状態が検出され、若干の時間差により未だカウントが完了していない次発機以降の運転指令タイマーを停止及びリセットさせる。
若干の時間差のなかで先発機が起動開始しない場合は順次カウント完了後に運転指令が発せられる。ステップ４では先発機が起動完了した場合に、次発機以降の運転指令タイマーが再度カウントを開始する。以降、運転要求のある機械全てが起動完了するまでステップ２からステップ４までを繰り返し同時起動を防止しながら確実に順次起動できるのである。
【図面の簡単な説明】
【００１１】
【図１】本発明の実施例を示す自動台数制御装置のブロック図
【図２】本発明の処理手順を示すフローチャート
【図３】従来の自動台数制御装置を示すブロック図
【図４】従来の処理手順を示すフローチャート
【図５】従来の他の処理手順を示すフローチャート
【符号の説明】
【００１２】
１  水槽
２  ポンプ
３  水位計
４  運転台数判断部
５  運転指令部
６  起動状態検出部
７  運転指令タイマー
【図１】
2008069652.tif 000003
【図２】
2008069652.tif 000004
【図３】
2008069652.tif 000005
【図４】
2008069652.tif 000006
【図５】
2008069652.tif 000007